(57)【要約】  本発明は、発信元によって少なくとも１つの受信機に転送されるシンボル内に含まれる情報ビットの量を増やす方法に関する。シンボルは、発信元によって選択された基本ビット系列を符号化し、当該符号化済みの選択された系列を変調することによって取得された被変調基本系列を表し、被変調基本系列は固定点を有する。発信元は、選択された基本ビット系列及び追加ビット系列を符号化し、符号化済みの選択された基本ビット系列を変調することによって被変調基本系列を取得し、追加ビット系列を変調することによって被変調変更用系列を取得し、被変調被変更系列を取得するために、被変調変更用系列を用いて、被変調基本系列の固定点の値の少なくとも一部を変更することによって、被変調基本系列を変更し、被変調被変更系列を被変更シンボルの形で転送する。
2015515176.tif 000002
【特許請求の範囲】
【請求項１】
発信元によって少なくとも１つの受信機に転送されるシンボル内に含まれる情報ビットの量を増やす方法であって、
前記シンボルは、複数の取り得る基本ビット系列のうちの前記発信元によって選択された基本ビット系列を符号化し、該符号化済みの選択された系列を変調することによって取得される被変調基本系列を表し、
前記取り得る基本ビット系列から取得することができる前記取り得る被変調基本系列はそれぞれ固定点を有し、１つの固定点は各被変調基本系列内で同じ所定の位置を有すると共に各被変調基本系列内で同じ値を有し、
該方法は、
−  誤り訂正符号を用いて前記選択された基本ビット系列を符号化するステップと、
−  誤り訂正符号を用いて追加ビット系列を符号化するステップと、
−  前記符号化済みの選択された基本ビット系列を変調することによって、被変調基本系列を取得するステップと、
−  前記追加ビット系列を変調することによって被変調変更用系列を取得するステップであって、該被変調変更用系列は前記被変調基本系列の固定点の数以下の長さを有する、ステップと、
−  被変調被変更系列を取得するために、前記被変調変更用系列を用いて、前記被変調基本系列の固定点の値の少なくとも一部を変更することによって、前記被変調基本系列を変更するステップと、
−  前記被変調被変更系列を被変更シンボルの形で転送するステップと、
を含むことを特徴とする、発信元によって少なくとも１つの受信機に転送されるシンボル内に含まれる情報ビットの量を増やす方法。
【請求項２】
前記変調は、差動変調であることを特徴とする、請求項１に記載の方法。
【請求項３】
前記被変調シンボルの転送前に実行される、前記被変調被変更系列にスクランブルをかける更なるステップを含むことを特徴とする、請求項１又は２に記載の方法。
【請求項４】
前記被変更シンボルは、直交周波数分割多重化シンボルであることを特徴とし、
前記被変調被変更系列は、前記直交周波数分割多重化被変更シンボルのサブキャリア上で転送されることを特徴とする、請求項２又は３に記載の方法。
【請求項５】
前記被変更シンボルは、同期シンボルであることを特徴とする、請求項４に記載の方法。
【請求項６】
前記被変更シンボルは、時分割多重化シンボル又は時分割多重化フレームであることを特徴とし、
前記被変調被変更系列は、時分割多重化送信方式のタイムスロット上で転送されることを特徴とする、請求項２又は３に記載の方法。
【請求項７】
前記被変調基本系列は、該被変調基本系列の固定点の値の少なくとも一部に前記被変調変更用系列の要素を乗算することによって変更されることを特徴とする、請求項１〜６のいずれか一項に記載の方法。
【請求項８】
基本ビット系列及び追加ビット系列を取り出す方法であって、
発信元によって転送される被変更シンボルを形成するために、前記追加ビット系列を用いて被変調基本系列が変更され、
前記被変調基本系列は、複数の取り得る基本ビット系列のうちの前記発信元によって選択された基本ビット系列を符号化し、該符号化済みの選択された基本ビット系列を変調することによって取得され、
前記取り得る基本ビット系列から取得することができる前記複数の取り得る被変調基本系列の各被変調基本系列は固定点を有し、１つの固定点は各被変調基本系列内で同じ所定の位置を有すると共に各被変調基本系列内で同じ値を有し、
該方法は、
−  前記被変更シンボルを受信し、受信された被変調被変更系列を取り出すステップと、
−  新たな値を取得するために、前記被変調基本系列の固定点に対応する位置における前記受信された被変調被変更系列の値の少なくとも一部を処理するステップと、
−  少なくとも前記新たな値から、前記基本ビット系列及び前記追加ビット系列を求めるステップと、
を含むことを特徴とする、基本ビット系列及び追加ビット系列を取り出すための方法。
【請求項９】
取り得る被変調変更用系列ごとに、
−  前記被変調変更用系列、及び固定点に対応する位置における前記受信された被変調被変更系列の値の前記少なくとも一部から、新たな値が取得されることを特徴とし、
−  前記新たな値、及び前記受信された被変調被変更系列の他の値から、関連付けられるコスト関数値及び関連付けられる基本ビット系列が求められ、
前記基本ビット系列及び前記追加系列は、求められた最大のコスト関数値に関連付けられる基本ビット系列及び追加ビット系列を選択することによって求められることを特徴とする、請求項８に記載の方法。
【請求項１０】
−  前記被変調基本系列の固定点に対応する位置における前記受信された被変調被変更系列の値の前記少なくとも一部、及び前記被変調基本系列のそれらの対応する固定点の値から、一時的な値が取得され、
−  前記追加ビット系列は、前記一時的な値から求められ、
−  前記求められた追加ビットに対応する被変調変更用系列、及び前記被変調基本系列の固定点に対応する位置における前記受信された被変調被変更系列の値の前記少なくとも一部から、新たな値が取得され、
−  前記基本ビットは、前記新たな値、及び前記受信された被変調被変更系列の他の値から求められることを特徴とする、請求項８に記載の方法。
【請求項１１】
発信元によって少なくとも１つの受信機に転送されるシンボル内に含まれる情報ビットの量を増やすためのデバイスであって、
前記シンボルは、複数の取り得る基本ビット系列のうちの前記発信元によって選択された基本ビット系列を符号化し、該符号化済みの選択された系列を変調することによって取得される被変調基本系列を表し、
前記取り得る基本ビット系列から取得することができる前記取り得る被変調基本系列はそれぞれ固定点を有し、１つの固定点は各被変調基本系列内で同じ所定の位置を有すると共に各被変調基本系列内で同じ値を有し、
該情報ビットの量を増やすためのデバイスは、
−  誤り訂正符号を用いて前記選択された基本ビット系列を符号化する手段と、
−  誤り訂正符号を用いて追加ビット系列を符号化する手段と、
−  前記符号化済みの選択された基本ビット系列を変調することによって、被変調基本系列を取得する手段と、
−  前記追加ビット系列を変調することによって被変調変更用系列を取得する手段であって、該被変調変更用系列は前記被変調基本系列の固定点の数以下の長さを有する、手段と、
−  被変調被変更系列を取得するために、前記被変調変更用系列を用いて、前記被変調基本系列の固定点の値の少なくとも一部を変更することによって、前記被変調基本系列を変更する手段と、
−  前記被変調被変更系列を被変更シンボルの形で転送する手段と、
を備えることを特徴とする、発信元によって少なくとも１つの受信機に転送されるシンボル内に含まれる情報ビットの量を増やすためのデバイス。
【請求項１２】
基本ビット系列及び追加ビット系列を取り出すためのデバイスであって、
発信元によって転送された被変更シンボルを形成するために、前記追加ビット系列を用いて被変調基本系列が変更され、
前記被変調基本系列は、複数の取り得る基本ビット系列のうちの前記発信元によって選択された基本ビット系列を符号化し、該符号化済みの選択された基本ビット系列を変調することによって取得され、
前記取り得る基本ビット系列から取得することができる前記複数の取り得る被変調基本系列の各被変調基本系列は固定点を有し、１つの固定点は各被変調基本系列内で同じ所定の位置を有すると共に各被変調基本系列内で同じ値を有し、
該基本ビット系列を取り出すためのデバイスは、
−  前記被変更シンボルを受信し、受信された被変調被変更系列を取り出す手段と、
−  新たな値を取得するために、前記被変調基本系列の固定点に対応する位置における前記受信された被変調被変更系列の値の少なくとも一部を処理する手段と、
−  少なくとも前記新たな値から、前記基本ビット系列及び前記追加ビット系列を求める手段と、
を備えることを特徴とする、基本ビット系列及び追加ビット系列を取り出すためのデバイス。
【請求項１３】
プログラマブルデバイスの中に直接ロード可能にすることができるコンピュータプログラムであって、該コンピュータプログラムがプログラマブルデバイス上で実行されるときに、請求項１〜７のいずれか一項に記載の方法のステップを実施するための命令又はコード部を含む、コンピュータプログラム。
【請求項１４】
プログラマブルデバイスの中に直接ロード可能にすることができるコンピュータプログラムであって、該コンピュータプログラムがプログラマブルデバイス上で実行されるときに、請求項８〜１０のいずれか一項に記載の方法のステップを実施するための命令又はコード部を含む、コンピュータプログラム。
【発明の詳細な説明】
【技術分野】
【０００１】
本発明は、包括的には、発信元によって少なくとも１つの受信機に転送されるシンボル内に含まれる、情報ビットの量を増やすための方法及びデバイスに関する。
【背景技術】
【０００２】
デジタルビデオ放送（Digital Video Broadcasting）規格において、同期シンボルは、各フレームのプリアンブルを識別するために、また時間同期及び周波数同期を実行するために、またシグナリングデータを搬送するために用いられる。そのような同期シンボルの容量は、２つのフィールドに含まれる７ビットからなる。
【０００３】
例えば、ＤＶＢ−Ｔ２では、同期シンボルを生成するために、７つの情報ビットを誤り訂正符号化して３８４ビット系列を形成する。
【０００４】
ＤＶＢの将来の発展のために、例えばＭＩＭＯモードのような追加パラメータが導入される必要がある。
【０００５】
今日、シンボルによって用いられるリソースの数を変えることなく、同期シンボル内に更なる情報を追加することはできない。
【発明の概要】
【発明が解決しようとする課題】
【０００６】
本発明は、シンボルによって用いられるリソースの数を変えることなく、シンボル内に追加情報を追加できるようにする方法及びデバイスを提供することを目的とする。
【課題を解決するための手段】
【０００７】
したがって、本発明は、発信元によって少なくとも１つの受信機に転送されるシンボル内に含まれる情報ビットの量を増やす方法に関する。
シンボルは、複数の取り得る基本ビット系列のうちの発信元によって選択された基本ビット系列を符号化し、当該符号化済みの選択された系列を変調することによって取得される被変調基本系列を表し、
取り得る基本ビット系列から取得することができる取り得る被変調基本系列はそれぞれ固定点を有し、１つの固定点は各被変調基本系列内で同じ所定の位置を有すると共に各被変調基本系列内で同じ値を有し、
当該方法は、
−  誤り訂正符号を用いて選択された基本ビット系列を符号化するステップと、
−  誤り訂正符号を用いて追加ビット系列を符号化するステップと、
−  符号化済みの選択された基本ビット系列を変調することによって、被変調基本系列を取得するステップと、
−  追加ビット系列を変調することによって被変調変更用系列を取得するステップであって、当該被変調変更用系列は被変調基本系列の固定点の数以下の長さを有する、ステップと、
−  被変調被変更系列を取得するために、被変調変更用系列を用いて、被変調基本系列の固定点の値の少なくとも一部を変更することによって、被変調基本系列を変更するステップと、
−  被変調被変更系列を被変更シンボルの形で転送するステップと、
を含むことを特徴とする。
【０００８】
また、本発明は、発信元によって少なくとも１つの受信機に転送されるシンボル内に含まれる情報ビットの量を増やすためのデバイスにも関する。
シンボルは、複数の取り得る基本ビット系列のうちの発信元によって選択された基本ビット系列を符号化し、当該符号化済みの選択された系列を変調することによって取得される被変調基本系列を表し、
取り得る基本ビット系列から取得することができる取り得る被変調基本系列はそれぞれ固定点を有し、１つの固定点は各被変調基本系列内で同じ所定の位置を有すると共に各被変調基本系列内で同じ値を有し、
当該情報ビットの量を増やすためのデバイスは、
−  誤り訂正符号を用いて選択された基本ビット系列を符号化する手段と、
−  誤り訂正符号を用いて追加ビット系列を符号化する手段と、
−  符号化済みの選択された基本ビット系列を変調することによって、被変調基本系列を取得する手段と、
−  追加ビット系列を変調することによって被変調変更用系列を取得する手段であって、当該被変調変更用系列は被変調基本系列の固定点の数以下の長さを有する、手段と、
−  被変調被変更系列を取得するために、被変調変更用系列を用いて、被変調基本系列の固定点の値の少なくとも一部を変更することによって、被変調基本系列を変更する手段と、
−  被変調被変更系列を被変更シンボルの形で転送する手段と、
を備えることを特徴とする。
【０００９】
それゆえ、シンボルによって用いられるリソースの数を変えることなく、同期シンボルに更なる情報が追加される。
【００１０】
特定の特徴によれば、変調は、差動変調である。
【００１１】
それゆえ、受信機側においてチャネル推定を実行する必要はない。
【００１２】
特定の特徴によれば、発信元は、被変更シンボルを転送する前に、被変調被変更系列にスクランブルをかける。
【００１３】
それゆえ、シンボルはチャネル変動に対して、よりロバストである。
【００１４】
特定の特徴によれば、被変更シンボルは、直交周波数分割多重化シンボルであり、被変調被変更系列は、直交周波数分割多重化変更後シンボルのサブキャリア上で転送される。
【００１５】
それゆえ、ロバストなＯＦＤＭ送信を用いることができる。
【００１６】
特定の特徴によれば、被変更シンボルは、同期シンボルである。
【００１７】
それゆえ、同期シンボルの容量は、シンボルによって用いられるリソースの数を変えることなく増やすことができる。
【００１８】
特定の特徴によれば、被変更シンボルは、時分割多重化シンボル又は時分割多重化フレームであり、被変調被変更系列は、時分割多重化送信方式のタイムスロット上で転送される。
【００１９】
それゆえ、古典的なＴＤＭ送信を用いることができる。
【００２０】
特定の特徴によれば、被変調基本系列は、その被変調基本系列の固定点の値の少なくとも一部に被変調変更用系列を乗算することによって変更される。
【００２１】
それゆえ、送信機側における簡単な変更及び受信機側における簡単な訂正を用いることができる。
【００２２】
更に別の態様によれば、本発明は、基本ビット系列及び追加ビット系列を取り出す方法に関する。
発信元によって転送される被変更シンボルを形成するために、追加ビット系列を用いて被変調基本系列が変更され、
被変調基本系列は、複数の取り得る基本ビット系列のうちの発信元によって選択された基本ビット系列を符号化し、当該符号化済みの選択された基本ビット系列を変調することによって取得され、
取り得る基本ビット系列から取得することができる複数の取り得る被変調基本系列の各被変調基本系列は固定点を有し、１つの固定点は各被変調基本系列内で同じ所定の位置を有すると共に各被変調基本系列内で同じ値を有し、
当該方法は、
−  被変更シンボルを受信し、受信された被変調被変更系列を取り出すステップと、
−  新たな値を取得するために、被変調基本系列の固定点に対応する位置における受信された被変調被変更系列の値の少なくとも一部を処理するステップと、
−  少なくとも新たな値から、基本ビット系列及び追加ビット系列を求めるステップと、
を含むことを特徴とする。
【００２３】
また、本発明は、基本ビット系列及び追加ビット系列を取り出すためのデバイスにも関する。
発信元によって転送された被変更シンボルを形成するために、追加ビット系列を用いて被変調基本系列が変更され、
被変調基本系列は、複数の取り得る基本ビット系列のうちの発信元によって選択された基本ビット系列を符号化し、当該符号化済みの選択された基本ビット系列を変調することによって取得され、
取り得る基本ビット系列から取得することができる複数の取り得る被変調基本系列の各被変調基本系列は固定点を有し、１つの固定点は各被変調基本系列内で同じ所定の位置を有すると共に各被変調基本系列内で同じ値を有し、
当該基本ビット系列を取り出すためのデバイスは、
−  被変更シンボルを受信し、受信された被変調被変更系列を取り出す手段と、
−  新たな値を取得するために、被変調基本系列の固定点に対応する位置における受信された被変調被変更系列の値の少なくとも一部を処理する手段と、
−  少なくとも新たな値から、基本ビット系列及び追加ビット系列を求める手段と、
を備えることを特徴とする。
【００２４】
それゆえ、容量を拡張された被変更シンボルを復号して、基本ビット及び追加ビットを取り出すことができる。
【００２５】
特定の特徴によれば、取り得る被変調変更用系列ごとに、
−  被変調変更用系列、及び固定点に対応する位置における受信された被変調被変更系列の値の少なくとも一部から、新たな値が取得され、
−  新たな値、及び受信された被変調被変更系列の他の値から、関連付けられるコスト関数値及び関連付けられる基本ビット系列が求められ、
基本ビット系列及び追加系列は、求められた最大のコスト関数値に関連付けられる基本ビット系列及び追加ビット系列を選択することによって求められる。
【００２６】
それゆえ、基本ビット及び追加ビットの一括検出を実行することができる。
【００２７】
特定の特徴によれば、
−  被変調基本系列の固定点に対応する位置における受信された被変調被変更系列の値の少なくとも一部、及び被変調基本系列のそれらの対応する固定点の値から、一時的な値が取得され、
−  追加ビット系列は、一時的な値から求められ、
−  求められた追加ビットに対応する被変調変更用系列、及び被変調基本系列の固定点に対応する位置における受信された被変調被変更系列の値の少なくとも一部から、新たな値が取得され、
−  基本ビットは、新たな値、及び受信された被変調被変更系列の他の値から求められる。
【００２８】
それゆえ、最初に追加ビットを取り出し、その後、基本ビットを取り出すことによって、準最適であるが複雑でない検出を実行することができる。
【００２９】
更に別の態様によれば、本発明は、プログラマブルデバイスの中に直接ロード可能にすることができるコンピュータプログラムであって、当該コンピュータプログラムがプログラマブルデバイス上で実行されるときに、本発明による方法のステップを実施するための命令又はコード部を含む、コンピュータプログラムに関する。
【００３０】
コンピュータプログラムに関する特徴及び利点は、本発明による方法及び装置に関連して上述したものと同じであるので、ここでは繰り返さないことにする。
【００３１】
本発明の特徴は、一例の実施形態の以下の説明を読むことによってより明らかになるであろう。この説明は、添付図面に関して作成されたものである。
【図面の簡単な説明】
【００３２】
【図１】本発明が実施される通信ネットワークを表す図である。
【図２】発信元によって転送される同期シンボルＰ１の構成のために用いられる被変調基本系列の各固定点の値を開示する図である。
【図３】被変調基本系列の固定点が、発信元によってその上にマッピングされる、３８４個のアクティブキャリアの集合内のアクティブサブキャリアのインデックスの集合の一例を開示する図である。
【図４】発信元のアーキテクチャを表す図である。
【図５】本発明による発信元の無線インターフェースの構成要素のブロック図を開示する図である。
【図６】本発明が実施される受信機のアーキテクチャを表す図である。
【図７】受信機の無線インターフェースの構成要素のブロック図を開示する図である。
【図８】本発明による、発信元によって実行されるアルゴリズムの一例を開示する図である。
【図９】本発明の第１の実現形態による、受信機によって実行されるアルゴリズムの一例を開示する図である。
【図１０】本発明の第２の実現形態による、受信機によって実行されるアルゴリズムの一例を開示する図である。
【図１１】本発明の特定の実現形態による、受信機の無線インターフェースの復号化モジュールの構成要素のブロック図を開示する図である。
【発明を実施するための形態】
【００３３】
図１は、本発明が実施される通信ネットワークを表している。
【００３４】
本発明は、ＯＦＤＭ方式が用いられる例において開示される。また、後に開示されるように、本発明は他の方式においても適用することもできる。
【００３５】
通信ネットワークは、例えば、少なくとも１つの発信元Ｓｒｃｔが少なくとも１つの受信機Ｒｅｃが位置するエリア内に信号を転送又はブロードキャストする、通信ネットワークである。
【００３６】
発信元Ｓｒｃｔは、例えば、ＤＶＢ（デジタルビデオ放送：Digital Video Broadcasting）規格に準拠する信号をブロードキャストする地上局又は衛星である。
【００３７】
通信ネットワークは、例えば、基地局がモバイル端末に信号を転送するか、又は少なくとも２つのモバイル端末に信号をブロードキャストする、セルラ通信ネットワークである。
【００３８】
発信元Ｓｒｃｔは、基地局に信号を転送するモバイル端末であってもよい。
【００３９】
受信機Ｒｅｃは、ビデオ信号のようなデータがブロードキャストされるモバイル端末であってもよいし、モバイル電話のような遠隔通信デバイス若しくはサーバと通信するモバイル端末であってもよいし、モバイル端末から信号を受信する基地局若しくはホーム基地局であってもよい。
【００４０】
簡単のために、図１には１つの発信元Ｓｒｃｔしか示されていないが、ネットワークは更に多くの数の発信元Ｓｒｃｔを備えることができる。
【００４１】
簡単のために、図１には１つの受信機Ｒｅｃしか示されていないが、更に多くの数の受信機Ｒｅｃに信号を転送又はブロードキャストすることができる。
【００４２】
発信元Ｓｒｃｓによってブロードキャストされる信号は、例えばＤＶＢ−ＮＧＨ（デジタルビデオ放送次世代ハンドヘルド：Digital Video Broadcasting Next Generation Handheld）放送規準と互換性のあるＯＦＤＭシンボルとすることができる。
【００４３】
本発明は、信号がＯＦＤＭ（直交周波数分割多重化）シンボルである一例において開示される。また、後に開示されるように、本発明は、時分割多重化方式を用いて信号が転送又はブロードキャストされるときにも適用可能である。
【００４４】
ＤＶＢ、例えば規格ＥＴＳＩ  ＥＮ  ３０２７５５  ｖ１．２．１（２０１０−１０）、「デジタルビデオ放送（ＤＶＢ）；第２世代ＤＶＢシステム（ＤＶＢ−Ｔ２）のためのフレーム構造チャネルコーティング及び変調」においては、或る特定の同期が存在する。
【００４５】
Ｐ１で表される同期シンボルは、１０２４個のサブキャリアを含むＯＦＤＭシンボルにプレフィックス／ポストフィックスを付加することによって形成される。１０２４個のサブキャリアのうち、帯域の中央にある８５３個のサブキャリアは有効サブキャリアであり、残りはガードサブキャリアである。
【００４６】
８５３個の有効サブキャリアのうち３８４個のサブキャリアだけが用いられ、それらのサブキャリアはアクティブサブキャリアと呼ばれる。未使用サブキャリアと呼ばれる他のサブキャリアは、０に設定されたままである。
【００４７】
発信元Ｓｒｃｔは、フィールドＳ内に含まれるｐ＝７個の基本情報ビットを用いてＰ１同期シンボルを生成し、それらの基本情報ビットを誤り訂正符号化して３８４ビット系列を形成する。
【００４８】
フィールドＳは、それぞれ３ビット及び４ビットを含む２つのフィールドＳ１及びＳ２から構成される。誤り訂正符号は、２つのパターンＣＳＳ１及びＣＳＳ２によって形成される相補系列セット（ＣＳＳ）の形で転送される。ＣＳＳ１パターンは、長さ８の８個の相補系列の８個の直交する集合に基づいて、Ｓ１を符号化する。その際、各ＣＳＳＳ１パターンの全長は６４である。一方、ＣＳＳ２パターンは、長さ１６の１６個の相補系列の１６個の直交する集合に基づいて、Ｓ２を符号化する。その際、各ＣＳＳ２パターンの全長は２５６である。
【００４９】
Ｓ＝［Ｓ１  Ｓ２］に対応する系列ｂは、ｂ＝［ＣＳＳ１  ＣＳＳ２  ＣＳＳ１］として構築され、それゆえ３８４の長さを有する。この２値系列ｂは、対応する＋１／−１コードワードｄに置き換えられる。
【００５０】
ｄは、例えば差動２相位相変調（ＤＢＰＳＫ）を用いて変調されてｘ＝ＭＳＳ＿ＤＩＦＦが得られ、その後、スクランブルをかけられて３８４個のアクティブサブキャリアにマッピングされることになる３８４個のシンボルから構成されるｘＳＣＲ＝ＭＳＳ＿ＳＣＲが得られる。この特定の場合には、全てのコードワードｄが同じ値から開始し、この例では１から開始する。追加系列開始シンボルは不要であるので、ｄ及びｘは同じサイズを有する。他の場合には、コードワードｄの長さは、差動変調された系列ｘの長さより１だけ短い場合がある。
【００５１】
本発明において、必ずしも差動変調でない、他の種類の変調を用いることもできることに留意されたい。
【００５２】
被変調基本系列ｘの３８４個のシンボルのうち、１２８シンボルは固定値を有する。これら１２８個の値が図２において与えられている。
【００５３】
本発明によれば、発信元Ｓｒｃｔは、発信元によって少なくとも１つの受信機に向けて転送されるシンボル内に含まれる情報ビットの量を増やす。シンボルは被変調基本系列を表し、当該被変調基本系列は、複数の取り得る基本ビット系列の中から発信元Ｓｒｃｔによって選択された１つの基本ビット系列を符号化し、当該選択されて符号化された系列を変調することによって取得される。取り得る基本ビット系列から取得することができる取り得る被変調基本系列はそれぞれ固定点を有し、固定点は各被変調基本系列内で同じ所定の位置を有すると共に各被変調基本系列内で同じ値を有する。
発信元Ｓｒｃｔは、
−  誤り訂正符号を用いて選択された基本ビット系列を符号化し、
−  誤り訂正符号を用いて追加ビット系列を符号化し、
−  符号化済みの選択された基本ビット系列を変調することによって、被変調基本系列を取得し、
−  追加ビット系列を変調することによって、被変調基本系列の固定点の数以下の長さを有する被変調変更用系列を取得し、
−  被変調被変更系列を取得するために、被変調変更用系列を用いて、被変調基本系列の固定点の値の少なくとも一部を変更することによって、被変調基本系列を変更し、
−  被変調被変更系列を被変更シンボルの形で転送する。
【００５４】
本発明によれば、受信機Ｒｅｃは、基本ビット系列及び追加ビット系列を取り出す。追加ビット系列は、被変調基本系列を変更して、発信元Ｓｒｃｔによって転送される被変更シンボルを形成するために用いられる。被変調基本系列は、複数の取り得る基本ビット系列の中から発信元によって選択された基本ビット系列を符号化し、当該選択されて符号化された基本ビット系列を変調することによって取得される。取り得る基本ビット系列から取得することができる複数の取り得る被変調基本系列の各被変調基本系列は、固定点を有する。固定点は、各被変調基本系列内で同じ所定の位置を有すると共に各被変調基本系列内で同じ値を有する。
受信機Ｒｅｃは、
−  被変更シンボルを受信し、受信された被変調被変更系列を取り出し、
−  新たな値を取得するために、被変調基本系列の固定点に対応する位置における受信された被変調被変更系列の値の少なくとも一部を処理し、
−  少なくとも上記新たな値から、基本ビット系列及び追加ビット系列を求める。
【００５５】
図２は、発信元によって転送される同期シンボルＰ１を構成するために用いられる、被変調基本系列の各固定点の値を開示している。
【００５６】
これらの値は全ての取り得るＰ１系列について一定であり、これらは図３に与えられるインデックスを有するサブキャリア上にマッピングされる。
【００５７】
図３は、３８４個のアクティブキャリアの集合内におけるアクティブサブキャリアのインデックスの集合の一例を開示しており、それらには被変調基本系列の固定点が発信元によってマッピングされる。
【００５８】
シンボルＰ１の固定点がマッピングされるアクティブサブキャリアのインデックスはｉｎｄｅｘ＿ｆｉｘｅｄ（ｉ）と呼ばれ、図３において示される値を有する。これらのインデックスの番号付けは、１から開始される。
【００５９】
図４は、発信元のアーキテクチャを表す図である。
【００６０】
発信元Ｓｒｃｔは、例えば、バス４０１によって互いに接続される構成要素と、プログラムによって制御されるプロセッサ４００とに基づくアーキテクチャを有している。
【００６１】
ここで、発信元Ｓｒｃｔは、専用集積回路に基づくアーキテクチャを有することもできることに留意されたい。
【００６２】
バス４０１は、プロセッサ４００を、リードオンリーメモリＲＯＭ４０２、ランダムアクセスメモリＲＡＭ４０３及び無線インターフェース４０５にリンクする。
【００６３】
メモリ４０３は、図８において開示されるようなプログラムの変数及び命令を受信するように意図されたレジスタを含む。
【００６４】
プロセッサ４００は、無線インターフェース４０５の動作を制御する。
【００６５】
リードオンリーメモリ４０２は、発信元Ｓｒｃｔが起動された際にランダムアクセスメモリ４０３に転送される、図８において開示されるようなプログラムの命令を含む。
【００６６】
無線インターフェース４０５は、本発明によるシンボルを転送する手段を備えている
。
【００６７】
無線インターフェース４０５は、本発明による信号を転送又はブロードキャストするために用いられるアンテナＡｎｔｓに接続されている。
【００６８】
無線インターフェース４０５は、図５において開示されるような構成要素を備えている。
【００６９】
図５は、本発明による発信元の無線インターフェースの構成要素のブロック図を開示している。
【００７０】
発信元Ｓｒｃｔの無線インターフェース４０５は、Ｐ１シンボルによって搬送されるｐ個の基本ビットを誤り訂正符号によって符号化する、誤り訂正符号化モジュール５００を備えている。
【００７１】
誤り訂正モジュール５００の出力は、基本コードワードの集合のうちのコードワードｄを形成する＋１／−１の２値系列に置き換えられ、当該系列を変調する差動変調モジュール５０２に与えられる。変調は、ＤＢＰＳＫ、ＤＱＰＳＫ、ＤＡＰＳＫ、ＤＰＳＫ、又は任意の他の差動変調若しくは非差動変調とすることができる。結果として生成されるＭ長被変調基本系列ｘは、固定点変更モジュール５０４に供給される。
【００７２】
発信元Ｓｒｃｔの無線インターフェースは、ｐ３個の追加ビットを誤り訂正符号によって符号化する、誤り訂正符号化モジュール５０１を備えている。
【００７３】
誤り訂正モジュール５０１の出力は、追加コードワードの集合のうちのコードワードｄ’を形成する＋１／−１の２値系列に置き換えられ、当該系列を変調する差動変調モジュール５０３に与えられる。変調は、ＤＢＰＳＫ、ＤＱＰＳＫ、ＤＡＰＳＫ、ＤＰＳＫ、又は任意の他の差動変調若しくは非差動変調とすることができる。結果として生成される被変調変更用系列ｚは、固定点変更モジュール５０４に供給される。
【００７４】
追加ビット系列の長さｐ３は、被変調変更用系列ｚが被変調基本系列ｘの固定点の数以下の長さを有するように選択される。ｐ３個の追加ビットを符号化するために用いられるコードワードの集合は、符号化率がｐ３／長さ（ｄ’）である任意のタイプの誤り訂正符号から得ることができる。
【００７５】
固定点変更モジュール５０４は、被変調変更用系列ｚに従って、被変調基本系列ｘの固定点の一部又は全てを変更する。
【００７６】
例えば、固定点変更モジュール５０４は、ｘの固定点の少なくとも一部の値に対して系列ｚの要素を乗算する。
【００７７】
特定の場合には、被変調変更用系列ｚは被変調基本系列ｘの固定点の数に等しい長さを有し、固定点変更モジュール５０４は、被変調基本系列ｘの全ての固定点に対して変更用系列ｚの要素を乗算する。乗算は系列の要素ごとに行われる。
【００７８】
ｐ３個の追加ビットを表すために用いられる
【数１】
2015515176.tif 000003
個の被変調変更用系列の集合における第ｋの被変調変更用系列を、ｚｋによって表すものとする。
【００７９】
本発明は、第ｌの被変調被変更系列ｘ’ｌを、被変調基本系列ｘｎによって表されるｐ個の基本ビットと、被変調変更用系列ｚｋによって表されるｐ３個の追加ビットとによって構成される、ｐ’＝ｐ＋ｐ３個の情報ビットの送信に関連付ける。特定の例では、
【数２】
2015515176.tif 000004
であると仮定することができる。
【００８０】
新たな被変調被変更系列を得るために全ての固定点値が変更される場合、固定点変更モジュール５０４は、以下のように動作する。
−  ｉ＝１．．．ｆｐであるｆｐ個のインデックスｉｎｄｅｘ＿ｆｉｘｅｄ（ｉ）について、
【数３】
2015515176.tif 000005
−  Ｍ−ｆｐ個の残りのインデックスｊ∈｛１．．．Ｍ｝＼ｉｎｄｅｘ＿ｆｉｘｅｄについて、
【数４】
2015515176.tif 000006
【００８１】
結果として生成される系列ｘ’ｌは、スクランブルモジュール５０５によって、オプションでスクランブルをかけることができる。スクランブルをかけられた系列は、マッピングパターンモジュール５０７によって与えられる所与のサブキャリアマッピングパターンに従って、ゼロ挿入及びマッピングモジュール５０６によってＭ個のアクティブサブキャリア上にマッピングされる。
【００８２】
ＩＤＦＴモジュール５０８によって実行されるＮ点の逆離散フーリエ変換の後、送信に先立って、プレフィックス／ポストフィックス挿入モジュール５０９によって、プレフィックス及び／又はサフィックスを挿入することができる。
【００８３】
図６は、本発明が実施される受信機のアーキテクチャを表す図である。
【００８４】
受信機Ｒｅｃは、例えば、バス６０１によって互いに接続される構成要素と、図９又は図１０において開示されるようなプログラムによって制御されるプロセッサ６００とに基づくアーキテクチャを有している。
【００８５】
ここで、受信機Ｒｅｃは、専用集積回路に基づくアーキテクチャを有することもできることに留意されたい。
【００８６】
バス６０１は、プロセッサ６００を、リードオンリーメモリＲＯＭ６０２、ランダムアクセスメモリＲＡＭ６０３及び無線インターフェース６０５にリンクする。
【００８７】
メモリ６０３は、図９又は図１０において開示されるようなアルゴリズムに関連するプログラムの変数及び命令を受信するように意図されたレジスタを含む。
【００８８】
プロセッサ６００は、無線インターフェース６０５の動作を制御する。
【００８９】
リードオンリーメモリ６０２は、受信機Ｒｅｃが起動される際にランダムアクセスメモリ６０３に転送される、図９又は図１０において開示されるようなアルゴリズムに関連するプログラムの命令を含む。
【００９０】
無線インターフェース６０５は、発信元Ｓｒｃｔによって転送又はブロードキャストされた無線信号を受信する手段を備えている。
【００９１】
無線インターフェース６０５は、発信元Ｓｒｃｔによって転送又はブロードキャストされた無線信号を受信するために用いられる少なくとも１つのアンテナＡｎｔに接続されている。
【００９２】
無線インターフェース６０５は、図７において開示される構成要素を備えている。
【００９３】
図７は、受信機の無線インターフェースの構成要素のブロック図を開示している。
【００９４】
受信機Ｒｅｃの無線インターフェース６０５は、同期を実行する時間及び周波数同期モジュール７００を備えている。
【００９５】
ここで、図１１を参照しながら後に開示されるように、同期によって時間及び／又は周波数誤差が発生する場合があることに留意されたい。
【００９６】
受信機Ｒｅｃの無線インターフェース６０５は、同期した受信シンボルのプレフィックス及び／又はサフィックスを除去する、プレフィックス及び／又はポストフィックス除去モジュール７０１を備えている。
【００９７】
受信機Ｒｅｃの無線インターフェース６０５は、プレフィックス及び／又はサフィックスが除去された受信シンボルに対して離散フーリエ変換を実行する、ＤＦＴモジュール７０２を備えている。
【００９８】
受信機Ｒｅｃの無線インターフェース６０５は、サブキャリアデマッピング及びスクランブル解除モジュール７０３を備えている。サブキャリアデマッピング及びスクランブル解除モジュール７０３は、ガードサブキャリア及び未使用のサブキャリアを除去することによってＤＦＴモジュール７０２の出力をデマッピングしてアクティブサブキャリアを取得し、その後、最終的なスクランブルを除去する
【００９９】
このようにして、サブキャリアデマッピング及びスクランブル解除モジュール７０３は、所与のサブキャリアマッピングパターンに従ってアクティブサブキャリア上で転送されて受信された被変調被変更系列ｙのＭ個の要素を取り出す。差動変調が用いられる場合、サブキャリアデマッピング及びスクランブル解除モジュール７０３は、受信された被差動変調被変更シンボル系列を取り出す。
【０１００】
受信機Ｒｅｃの無線インターフェース６０５は、デマッピング及びスクランブル解除モジュール７０３の出力を復号する、復号モジュール７０４を備えている。
【０１０１】
本発明によれば、復号モジュール７０５は、図９又は図１０において開示されるようなアルゴリズムを実行する。
【０１０２】
図８は、本発明による、発信元によって実行されるアルゴリズムの一例を開示している。
【０１０３】
より厳密には、本アルゴリズムは、発信元Ｓｒｃｔのプロセッサ４００によって実行される。
【０１０４】
ステップＳ８００において、プロセッサ４００は、発信元Ｓｒｃｔの無線インターフェース４０５に指示し、ｐ個の基本ビットを誤り訂正符号によって符号化してコードワードｄを取得すると共に、ｐ３個の追加ビットを前記ｐ個の基本ビットを符号化するために用いられたのとは異なり得る誤り訂正符号によって符号化して追加コードワードｄ’を取得する。
【０１０５】
ｐ３個の追加ビットは、ｐ個の基本ビットによって搬送される情報に対する追加情報を搬送する。これらの情報は、例えば、多入力多出力能力に関連するパラメータ、又は他のシステムパラメータ、例えばサイクリックプレフィックス長若しくは後続のデータフレームのＤＦＴサイズ、既存の通信規格の拡張についてのパラメータ、又は他のシステム情報である。
【０１０６】
次のステップＳ８０１において、プロセッサ４００は、無線インターフェース４０５に指示し、符号化された基本ビット及び符号化された追加ビットを変調する。
【０１０７】
例えば、差動変調が実行される。変調は、ＤＢＰＳＫ、ＤＱＰＳＫ、ＤＡＰＳＫ、ＤＰＳＫ、又は任意の他の差動変調若しくは非差動変調とすることができる。
【０１０８】
被変調基本ビット系列は、ｘで表されるＭ長系列である。被変調変更用系列は、ｚで表される変更用系列であり、その長さは被変調基本系列ｘの固定点の数以下である。
【０１０９】
ｐ３個の追加ビットを符号化するために用いられるコードワードの集合は、符号化率がｐ３／長さ（ｄ’）である任意のタイプの誤り訂正符号から得ることができる。
【０１１０】
次のステップＳ８０２において、プロセッサ４００は、無線インターフェース４０５に指示し、変更用系列ｚに従って、被変調基本系列ｘの固定点の少なくとも一部の値を変更する。
【０１１１】
変更は、例えば被変調基本系列ｘの固定点の値の少なくとも一部に対して、変更用系列ｚの要素を乗算することによって行うことができる。場合によっては、総和、パンクチャリング等の他のタイプの系列変更を利用することもできる。
【０１１２】
例えば、１２８個の固定点が存在する場合には、被変調基本系列ｘの最大でｆｐ＝１２８個の固定点に対して、変更用系列ｚの要素を乗算する。
【０１１３】
より具体的には、本例では、被変調基本系列ｘの全てのｆｐ＝１２８個の固定点に対して、変更用系列ｚの要素を乗算する。
【０１１４】
既に開示されているように、新たな被変調被変更系列を得るために、固定点変更モジュール５０４は、以下のように動作する。
−  ｉ＝１．．．ｆｐであるｆｐ個のインデックスｉｎｄｅｘ＿ｆｉｘｅｄ（ｉ）について、
【数５】
2015515176.tif 000007
−  Ｍ−ｆｐ個の残りのインデックスｊ∈｛１．．．Ｍ｝＼ｉｎｄｅｘ＿ｆｉｘｅｄについて、
【数６】
2015515176.tif 000008
【０１１５】
ここで、この特定の例では、変更用系列ｚはｆｐ個の要素から構成されることに留意されたい。変更用系列ｚがｆｐ個未満の要素を有する場合には、系列ｘのｆｐ個の固定点のうちの長さ（ｚ）点の部分集合のみが変更される。
【０１１６】
次のステップＳ８０３において、プロセッサ４００は、無線インターフェース４０５に指示し、結果として生成されたｘ’ｌにスクランブルをかける。
【０１１７】
ここで、一変形形態では、ステップＳ８０３は実行されず、プロセッサ４００はステップＳ８０２からＳ８０４に移行することに留意されたい。
【０１１８】
次のステップＳ８０４において、プロセッサ４００は、無線インターフェース４０５に指示し、結果として生成されたｘ’ｌを、所与のサブキャリアマッピングパターンに従ってマッピングする。
【０１１９】
次のステップＳ８０５において、プロセッサ４００は、無線インターフェース４０５に指示し、Ｎ点の逆離散フーリエ変換を実行する。
【０１２０】
次のステップＳ８０６において、プロセッサ４００は、無線インターフェース４０５に指示し、送信に先立ってプレフィックス及び／又はサフィックスを挿入する。
【０１２１】
図９は、本発明の第１の実現形態による、受信機によって実行されるアルゴリズムの一例を開示している。
【０１２２】
より厳密には、本アルゴリズムは、受信機Ｒｅｃのプロセッサ６００によって実行される。
【０１２３】
本アルゴリズムは、取り得る被変調変更用系列ごとに：
−  被変調変更用系列、及び受信された被変調被変更系列の固定点に対応する位置における値の少なくとも一部から、新たな値を取得し、
−  上記新たな値、及び受信された被変調被変更系列の他の値から、関連するコスト関数値及び関連する基本ビット系列を求め、
そして、求められた最大のコスト関数値に関連付けられる基本ビット系列及び追加ビット系列を選択することによって、基本ビット系列及び追加系列が求められる。
【０１２４】
ステップＳ９００において、プロセッサ６００は、被変調基本系列ｘを変更するために発信元Ｓｒｃｔによって用いることができる被変調変更用系列の集合
【数７】
2015515176.tif 000009
の中から、１つの取り得る被変調変更用系列ｚｍを選択する。
【０１２５】
被変調基本系列を変更するために発信元Ｓｒｃｔによって用いることができる被変調変更用系列の集合は、例えばＲＡＭメモリ６０３に記憶されている。
【０１２６】
次のステップＳ９０１において、プロセッサ６００は、無線インターフェース４０５に指示し、変更用系列の影響を補正する。
【０１２７】
例えば、被変調基本系列ｘの固定点と被変調変更用系列ｚとの乗算によって変更が行われた場合、プロセッサ６００は、無線インターフェース４０５に指示し、図３のサブキャリア上にマッピングされた値を、選択された被変調変更用系列ｚｍで割る。
【０１２８】
受信された被変調補正済み系列ｙｍは、受信された被変調被変更系列ｙにおいて、インデックスｉｎｄｅｘ＿ｆｉｘｅｄの集合によって示されるｆｐ個のサンプルを補正することによって得ることができる。
【数８】
2015515176.tif 000010
【０１２９】
ここで、変更用系列ｚはｆｐ個の要素を有することに留意されたい。変更用系列ｚがｆｐ個未満の要素を有する場合、被変調被変更シンボルの系列ｘ’内の被変更要素と同じランク、すなわち発信元によって実効的に変更された被変調基本系列ｘ内の固定点と同じランクを有する、受信された被変調被変更系列ｙ内の長さ（ｚ）点の部分集合のみが補正される。
【０１３０】
次のステップＳ９０２において、変更用系列ｚｍに関連付けられるｐ３個の追加ビットが送信されたという仮定のもとで、受信された被変調補正済み系列ｙｍを復号し、被変調基本系列に対応するｐ個の送信された基本ビットを推定する。
【０１３１】
そのため、プロセッサ６００は、無線インターフェース４０５に指示し、受信された被変調補正済み系列ｙｍを復号し、復号にコスト関数を関連付ける。
【０１３２】
ここで、コスト関数は、性能指数、又は信頼水準、又は効用関数、又は信頼性関数とも呼ばれる場合があることに留意されたい。
【０１３３】
これは、例えば、基本コードワードの集合の中から取り得るコードワードｄｎごとに、コードワード当たりのコスト関数
【数９】
2015515176.tif 000011
を計算することによって行うことができる。
【０１３４】
その際、変更用系列ｚｍに関連付けられるｐ３個の追加ビットが送信された仮定のもとで、送信されたｐ個の基本ビットの集合がコードワードｄｎ（ｍ）に対応し、それゆえ被変調系列ｘｎ（ｍ）の送信に対応すると判断される。ただし、
【数１０】
2015515176.tif 000012
である。
【０１３５】
変更用系列ｚｍに関連付けられるｐ３個の追加ビットが送信された仮定のもとで、検出に関連付けられる条件付きコスト関数は、以下の通りである。
【数１１】
2015515176.tif 000013
【０１３６】
コードワード当たりの条件付きコスト関数Γｎｍｙｍは、数多くのやり方で計算することができ、例えば条件付き確率
【数１２】
2015515176.tif 000014
＝確率ｙｍ｜ｘｎ、又はこの関数若しくは他のタイプの適切なコスト関数の近似とすることができる。
【０１３７】
次のステップＳ９０３において、発信元Ｓｒｃｔによって用いられた被変調変更用系列が選択された被変調変更用系列ｚｍであるという仮定のもとで、プロセッサ６００は、ｐ個の検出された基本ビットを表す情報及び関連付けられる条件付きコスト関数Γｍを表す情報を、ＲＡＭメモリ６０３に記憶する。
【０１３８】
次のステップＳ９０４において、プロセッサ６００は、取り得る被変調変更用系列がそれぞれ選択されたか否かをチェックする。
【０１３９】
取り得る被変調変更用系列がそれぞれ選択された場合には、プロセッサ６００はステップＳ９０６に進む。そうでない場合には、プロセッサ６００はステップＳ９０５に進み、例えばｍを１だけインクリメントすることによって別の被変調変更用系列を選択し、ステップＳ９０１に戻る。
【０１４０】
次のステップＳ９０６において、プロセッサ６００は、記憶された条件付きコスト関数値の中から、最も高い値を有する値を選択する。
【０１４１】
次のステップＳ９０７において、プロセッサ６００は、発信元Ｓｒｃｔによって用いられた系列として、条件付きコスト関数が最も高い値を有する変更用系列を選択する。
【０１４２】
次のステップＳ９０８において、プロセッサ６００は、ステップＳ９０６において求められた最も高い値を有する条件付きコスト関数に関連付けられる、ステップＳ９０３において記憶された基本ビットを選択する。
【０１４３】
図１０は、本発明の第２の実現形態による、受信機によって実行されるアルゴリズムの一例を開示している。
【０１４４】
本アルゴリズムは、
−  受信された被変調被変更系列における被変調基本系列の固定点に対応する位置の値の少なくとも一部、及び被変調基本系列におけるそれらの対応する固定点の値から、一時的な値を取得し、
−  上記一時的な値から追加ビットを求め、
−  求められた追加ビットに対応する被変調変更用系列、及び受信された被変調被変更系列における固定点に対応する位置の値の少なくとも一部から、新たな値を取得し、
−  上記新たな値、及び受信された被変調被変更系列の他の値から、基本系列を求める。
【０１４５】
より詳細には、本アルゴリズムは、受信機Ｒｅｃのプロセッサ６００によって実行される。
【０１４６】
ステップＳ１０００において、プロセッサ６００は、受信された被変調被変更系列ｙの要素の中から、発信元Ｓｒｃｔによって変更された送信要素の受信に対応する要素の集合ｙ’を識別する。
【０１４７】
ｙ’を形成するｙの要素は、図３において与えられるインデックスのサブキャリア上で転送されたものである。
【０１４８】
それゆえ、ｙ’を形成するｙの要素は、受信された被変調被変更系列ｙ内において、被変調被変更シンボルの系列ｘ’内の被変更要素と同じランク、それゆえ発信元Ｓｒｃｔによって実効的に変更された被変調基本系列ｘ内の固定点と同じランクを有する。
【０１４９】
より厳密には、本例では、被変調基本系列ｘの全ての固定点が変更されたので、発信元Ｓｒｃｔによって変更された送信要素の受信に対応する要素の集合ｙ’は、図３に列挙されたランクを有し、それゆえ、受信された被変調被変更系列ｙから以下のようにして得られる。
【数１３】
2015515176.tif 000015
【０１５０】
ｙ’は、図２において与えられる固定点Ｖａｌｕｅｓ＿ｆｉｘｅｄの系列を、被変調変更用系列ｚを用いて変更することによって、発信元Ｓｒｃｔにおいて得られた要素の受信バージョンを再編成する。
【０１５１】
被変調基本系列ｘの固定点の一部のみが発信元によって変更されるとき、ｙ’は、同じ位置を有する要素の受信バージョンを、被変調変更用系列ｚを用いて発信元Ｓｒｃｔにおいて変更された基本系列ｘの固定点として再編成する。
【０１５２】
次のステップＳ１００１において、プロセッサ６００は、無線インターフェース４０５に指示し、発信元Ｓｒｃｔによって変更された要素の受信に対応する要素の集合ｙ’から、被変調変更用系列ｚの受信バージョンｚ’を得る。
【０１５３】
それを果たすために、無線インターフェース４０５は、ｙ’から、発信元Ｓｒｃｔによって実効的に変更された固定点の元の値の影響を除去する。例えば、変更が乗算によって行われるとき、受信された被変調変更用系列ｚ’は、発信元Ｓｒｃｔによって変更された要素の受信に対応する要素の集合ｙ’の要素を、被変更固定点の元の値で割ることによって得ることができる。
【０１５４】
本例では、ｆｐ個の全ての固定点が変更されたので、無線インターフェース４０５は、Ｖａｌｕｅｓ＿ｆｉｘｅｄ：
【数１４】
2015515176.tif 000016
の影響を除去する。
【０１５５】
次のステップＳ１００２において、プロセッサ６００は、無線インターフェース４０５に指示し、受信された変更用系列を復号し、それゆえｐ３個の追加情報ビットを推定する。
【０１５６】
ｐ３個の追加ビットを推定するために、受信された変更用系列ｚ’を復号することは、任意の適切な手段によって果たすことができる。
【０１５７】
これは、例えば、被変調基本系列ｘの固定点を変更するために発信元Ｓｒｃｔによって用いることができる被変調変更用系列の集合
【数１５】
2015515176.tif 000017
の中から取り得る被変調変更用系列ｚｍごとに、受信された被変調変更用系列ｚ’及び仮定された被変調変更用系列ｚｍに依存するコスト関数Γ３，ｍｚ’を計算することによって果たすことができる。
【０１５８】
古典的には、この関数は、ｚ’が受信されたことがわかっているとき、ｚｍを送信した確率に比例する。送信されたｐ３個の追加ビットの集合は、変更用系列
【数１６】
2015515176.tif 000018
に対応する。
ただし、
【数１７】
2015515176.tif 000019
である。
【０１５９】
コスト関数Γ３，ｍｚ’は数多くのやり方で計算することができ、例えば、条件付き確率Γ３，ｍｚ’＝確率（ｚ’｜ｚｍ）、又は他のタイプの適切なコスト関数によって与えることができる。この確率は、例えば差動変調が利用されるシステムにおいて、差動復調後に求めることができる。
【０１６０】
ｐ３個の追加ビットの情報を表す復号された変更用系列は、最も高い条件付き確率を有する系列である。
【０１６１】
次のステップＳ１００３において、プロセッサ６００は、受信された被変調被変更系列ｙから、推定された変更用系列
【数１８】
2015515176.tif 000020
の影響を除去する。
【０１６２】
本例では、変更用系列はｆｐ個の要素を有する。
【数１９】
2015515176.tif 000021
ただし、
【数２０】
2015515176.tif 000022
は復号された変更用系列である。
【０１６３】
変更用系列ｚがｆｐ個未満の要素を有する場合、被変調被変更シンボルの系列ｘ’内の被変更要素と同じランク、それゆえ発信元によって実効的に変更された被変調基本系列ｘ内の固定点と同じランクを有する、受信された被変調被変更系列ｙ内の長さ（ｚ）点の部分集合のみが補正される。
【０１６４】
次のステップＳ１００４において、プロセッサ６００は、無線インターフェース４０５に指示し、受信された被変調補正済みシンボル
【数２１】
2015515176.tif 000023
の系列を復号する。変更の影響は除去されたので、
【数２２】
2015515176.tif 000024
はｐ個の基本ビットを表す情報を含み、古典的なＰ１シンボルを送信する場合と同様に復号することができる。
【０１６５】
図１１は、本発明の特定の実現形態による、受信機の無線インターフェースの復号モジュールの構成要素のブロック図を開示している。
【０１６６】
図９のステップＳ９０２において、又は図１０のステップＳ１００２及び／又はＳ１００４において開示された実現形態の代わりに、特定の実現形態が実行される。
【０１６７】
以下において、ステップＳ９０２の代わりに実行される際の特定の実現形態が開示される。
【０１６８】
基本コードワードの集合の中のコードワードｄから被変調基本系列ｘを取得すると共に、追加コードワードの集合の中のコードワードｄ’から被変調変更用系列ｚを取得するために、発信元Ｓｒｃｔによって常に差動変調が用いられると仮定する。本発明は、ｚがｆｐ個の点からなる長さを有し、変更が乗算によって果たされる場合において示される。
【０１６９】
特定の実現形態は、例えば受信機Ｒｅｃにおいて不完全なタイミング同期によって発生するタイミングオフセットに起因して生じるおそれがある、差動変調された受信シンボルの系列において生じる可能性がある位相ランプによって近似することができる位相ランプ誤差又は位相誤差を効率的に補正する。
【０１７０】
既に開示されているように、受信機Ｒｅｃの無線インターフェース６０５は、デマッピング及びスクランブル解除モジュール７０３の出力を復号する復号モジュール７０４を備えている。
【０１７１】
既に言及されているように、時間／周波数同期モジュール７００は不完全であり、ＴＯサンプルのタイミングオフセットが発生する。
【０１７２】
ＴＯは正、負のいずれかである。
【０１７３】
インデックスｋｉの第ｉの有効サブキャリア上でのＤＦＴ及びサブキャリアデマッピングの後において（ただし、ｋｉは必ずしも連続的ではないか、又は等距離に分布していない）、サブキャリアデマッピング及びスクランブル解除モジュール７０３の出力における信号は、以下のように表すことができる。
【数２３】
2015515176.tif 000025
ただし、ｈｉは第ｉの有効キャリアに対応するチャネル伝達関数であり、ηｉはそのサブキャリア上で受ける分散σ２の雑音であり、ｙｉは受信された被変調被変更シンボルの要素であり、ｘｉ’は被変調被変更系列の要素である。
【０１７４】
系列ｙは、例えば図９において説明される手順に従って、復号器７０４によって復号される。
【０１７５】
ステップＳ９００において、復号器７０４は、被変調変更用系列の集合
【数２４】
2015515176.tif 000026
の中から被変調変更用系列ｚｍを選択し、ステップＳ９０１において、復号器７０４は、この変更用系列の影響を除去して、受信された被変調補正済みシンボルの系列ｙｍを取得する。この系列は、被変調変更用系列ｚｍが用いられたとの仮定のもとで、以下の要素を有する。
【数２５】
2015515176.tif 000027
【０１７６】
被変調変更用系列ｚｍが用いられたとの仮定のもとで、差動復調モジュール７０４の出力における信号は、以下のように表すことができる。
【数２６】
2015515176.tif 000028
ただし、ｎｉは分散
【数２７】
2015515176.tif 000029
の等価雑音
【数２８】
2015515176.tif 000030
であり、ρｉ＝｜ｈｉ｜、ρｉ＝｜ｈｉ｜である。
【０１７７】
上記の式において、各コードワードｄの初めの要素ｄ０＝１は無視される。一般的な場合と同様に、差動変調前のコードワードｄ及び差動復調後の差動復調された系列ｒが、１からＭ−１までの番号を付されたＭ−１個の有効要素を有すると考える。要素ｄ０＝１も考える必要があり、それゆえＭ個の要素を有するコードワードｄの場合には、ダミー値ｒ０が挿入されなければならない。差動変調前のコードワードｄ及び差動復調後の差動復調された系列ｒは、同じ数の要素を有する必要がある。各要素ｒｉは、コードワードｄ内で、差動復調されたシンボルの系列ｒ内の受信バージョンｒｉと同じランクを有する要素ｄｉの受信バージョンである。
【０１７８】
タイミングオフセットが、復調された信号への位相ランプによって近似することができる位相誤差を発生させる。任意の復調されたシンボルが被る位相回転は、タイミングオフセットＴＯと、現在の被復調シンボルを推定できるようにする、差動変調されたシンボルを搬送するサブキャリア間の距離αｉとに依存する。αｉは、２つの連続的な差動変調されたシンボルがマッピングされるサブキャリア間の異なる距離を含むベクトルαの要素である。距離は、対応するサブキャリアインデックスの差であると理解される。
【０１７９】
本発明によれば、復号モジュール７０５は、位相ランプを補正するために構成される。
【０１８０】
対数尤度比判定基準から導出される判定基準が適用される。これは、グローバルコスト関数
【数２９】
2015515176.tif 000031
を最大化することを意味する。
【０１８１】
各コードワードｄｎについて、復号モジュール７０５は、
【数３０】
2015515176.tif 000032
を達成する推定位相
【数３１】
2015515176.tif 000033
を見つける。
【０１８２】
ＤＶＢ規格及びＰ１シンボルにおける特定の場合、ｄｎは、Ｓフィールド内に含まれるｐ＝７個の情報ビットを符号化するために用いられる１２８個のコードワードの集合の中の第ｎのコードワードである。
【０１８３】
復号は
【数３２】
2015515176.tif 000034
を見つけることによって実行される。ただし、ｎｍａｘ（ｍ）は、
【数３３】
2015515176.tif 000035
を確実にするインデックスである。
【０１８４】
コードワード当たりのコスト関数
【数３４】
2015515176.tif 000036
を最大にすることは、以下を最大にすることと等価である。
【数３５】
2015515176.tif 000037
【０１８５】
通信ネットワークはチャネル推定の実行されない差動変調を利用するので、項
【数３６】
2015515176.tif 000038
は最大化において無視される。その際、以下の式が成り立つ。
【数３７】
2015515176.tif 000039
【０１８６】
特定の実現形態によれば、αの要素αｉがＡｋ、ｋ＝１．．．Ｑで表されるＱ個の異なる値をとるとき、本発明は差動復調されたシンボルのＱ個のグループを形成し、各グループを別々に処理する。
【０１８７】
上記の式は、コードワード当たりの部分コスト関数の和として書き換えることができ、各部分コスト関数は、所与のサブキャリア距離に関連付けられる変調シンボルに対応する。
【数３８】
2015515176.tif 000040
【０１８８】
例えば、部分コスト関数
【数３９】
2015515176.tif 000041
は、第ｎのコードワードｄｎを構成するそれらの変調シンボル
【数４０】
2015515176.tif 000042
、ｉ∈Ｉ３に対応し、またｋ＝３ステップだけ隔てられた８５３個の有効サブキャリアの集合内における、インデックスｋｉ−１及びｋｉのアクティブサブキャリアの３８０個の中の第ｉ及び第ｉ＋１上にマッピングされる、受信された被差動変調シンボル
【数４１】
2015515176.tif 000043
から取り出すことができる、受信された被差動復調シンボル
【数４２】
2015515176.tif 000044
に対応する。上付き文字ｍは、被変調変更用系列ｚｍが用いられたという仮定を示している。
【０１８９】
第ｋのグループ内の識別された被差動復調シンボルｒｉのインデックスｉの集合は、Ｉｋによって表される。
【０１９０】
各部分コスト関数の個別の最大化が実行される。上記で言及された式を、以下のように簡略化することができる。
【数４３】
2015515176.tif 000045
【０１９１】
したがって、以下を見つける必要がある。
【数４４】
2015515176.tif 000046
【０１９２】
この値を用いて、
【数４５】
2015515176.tif 000047
は以下の式に置き換えられる。
【数４６】
2015515176.tif 000048
【０１９３】
復号モジュール７０５は、ｄで表される送信シンボルを一括して復号し、本発明の特定の実現形態に従って位相ランプを補正する。
【０１９４】
復号器７０５は、抽出モジュール１１０を備えている。抽出モジュール１１０は、所与の距離だけ隔てられたアクティブサブキャリア上で転送される受信シンボルから得られる差動復調されたシンボルを抽出モジュール１１０が識別できるようにするテーブル１１１を用いて、差動復調シンボルのＱ個のグループを形成する。
【０１９５】
図１１及び以下の説明において、上付き文字ｍは一般性の理由から省略される。
【０１９６】
図９のステップＳ９０２において開示された実現形態の代わりに、特定の実現形態が実行されるとき、以下において、ｒｉは
【数４７】
2015515176.tif 000049
に置き換えられるべきである。
【０１９７】
図１０のステップＳ１００４において開示された実現形態の代わりに、特定の実現形態が実行されるとき、ｒｉは
【数４８】
2015515176.tif 000050
に置き換えられるべきである。
【０１９８】
図１０のステップＳ１００２において開示された実現形態の代わりに、特定の実現形態が実行されるとき、ｒｉは、受信された被変調変更用系列の差動復調されたバージョン、
【数４９】
2015515176.tif 000051
と理解されるべきであり、基本コードワードｄの集合は、追加コードワードｄ’の集合に置き換えられるべきであり、結果として、ｐ個の基本ビットはｐ３個の追加ビットに置き換えられるべきである。また、この特定の場合に、以下において、アクティブサブキャリア及び全てのサブキャリア距離、インデックス及びインデックスのテーブルの概念は、被変更シンボルを搬送するサブキャリアに関してのみ、理解されるべきである。
【０１９９】
抽出モジュール１１０は、差動復調されたシンボルｒｉのＱ個のグループを識別する。各第ｋのグループは、ｑｋ個の差動復調されたシンボルを有する。そのような差動復調されたシンボルｒｉはそれぞれ、一定の距離Ａｋ＝ｋｉ−ｋｉ−１だけ隔てられた有効サブキャリアの空間内でインデックスｋｉ、ｋｉ−１によって識別されるサブキャリア上で転送される受信シンボルｙｉ、ｙｉ−１を組み合わせることによって得られる。
【０２００】
復号器７０４は、２ｐ個の予備和計算モジュールを備えている。明確にするために、図１１には２つの予備和計算モジュール１１３及び１１７のみが示されている。
【０２０１】
予備和計算モジュール１１３は、コードワードテーブル１１２によって与えられるコードワードｄ１を用いて、和
【数５０】
2015515176.tif 000052
を計算する。
【０２０２】
予備和計算モジュール１１７は、コードワードテーブル１２２によって与えられるコードワード
【数５１】
2015515176.tif 000053
を用いて、和
【数５２】
2015515176.tif 000054
を計算する。
【０２０３】
各予備和計算モジュール１１３、１１７は、Ｑ個の部分コスト関数モジュールに、Ｑ個のそれぞれの和を与える。
【０２０４】
明確にするために、図１１には４つの部分コスト関数モジュールのみが示されている。
【０２０５】
予備和計算モジュール１１３は、第１の和
【数５３】
2015515176.tif 000055
を、部分コスト関数モジュール１１４に与える。部分コスト関数モジュール１１４は、部分コスト関数
【数５４】
2015515176.tif 000056
を計算する。
【０２０６】
予備和計算モジュール１１３は、第Ｑの和
【数５５】
2015515176.tif 000057
を、部分コスト関数モジュール１１５に与える。部分コスト関数モジュール１１５は、部分コスト関数
【数５６】
2015515176.tif 000058
を計算する。
【０２０７】
予備和計算モジュール１１７は、第１の和
【数５７】
2015515176.tif 000059
を、部分コスト関数モジュール１１８に与える。部分コスト関数モジュール１１８は、部分コスト関数
【数５８】
2015515176.tif 000060
を計算する。
【０２０８】
予備和計算モジュール１１７は、第Ｑの和
【数５９】
2015515176.tif 000061
を部分コスト関数モジュール１１９に与え、部分コスト関数モジュール１１９は部分コスト関数
【数６０】
2015515176.tif 000062
を計算する。
【０２０９】
その後、既に識別された被差動復調シンボルのＱ個のグループの第ｋのグループごとに、部分コスト関数が計算される。推定された共通位相シフトＡｋφｋはこのグループに対して局所的に補償されるので、この部分コスト関数は暗黙のうちに準最適なタイミングオフセット補償を含む。
【０２１０】
部分コスト関数モジュール１１４及び１１５は、計算された部分コスト関数をコードワード当たりコスト関数計算モジュール１１６に与える。モジュール１１６は、以下を計算する。
【数６１】
2015515176.tif 000063
【０２１１】
部分コスト関数モジュール１１８及び１１９は、計算された部分コスト関数をコードワード当たりコスト関数計算モジュール１２０に与える。モジュール１２０は、以下を計算する。
【数６２】
2015515176.tif 000064
【０２１２】
各部分コスト関数は最大化モジュール１２１に供給され、最大化モジュール１２１は
【数６３】
2015515176.tif 000065
を選択することによって、コードワード
【数６４】
2015515176.tif 000066
が送信されたことを判断する。
【０２１３】
当然のことながら、本発明の範囲から逸脱することなく、上述した本発明の実施形態に対して多くの変更を行うことができる。
【図１】
2015515176.tif 000067
【図２】
2015515176.tif 000068
【図３】
2015515176.tif 000069
【図４】
2015515176.tif 000070
【図５】
2015515176.tif 000071
【図６】
2015515176.tif 000072
【図７】
2015515176.tif 000073
【図８】
2015515176.tif 000074
【図９】
2015515176.tif 000075
【図１０】
2015515176.tif 000076
【図１１】
2015515176.tif 000077
【国際調査報告】
2015515176.tif 000078
2015515176.tif 000079
2015515176.tif 000080